【手続補正書】
【提出日】平成17年2月9日(2005.2.9)
【手続補正１】
【補正対象書類名】明細書
【補正対象項目名】特許請求の範囲
【補正方法】変更
【補正の内容】
【特許請求の範囲】
【請求項１】
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記遊技の進行に関連した情報として、前記事前決定手段によって前記特定の表示態様となることが許容された旨を確定的に示す告知を行うのに必要な告知情報を生成する告知情報生成手段と、
前記遊技の進行に関連した情報として１回で送信される情報であって、前記決定情報設定手段に設定されている決定情報のうちで少なくとも前記特定の表示態様に対応した決定情報の全てを示す事前決定情報を生成する事前決定情報生成手段と、
前記告知情報生成手段により生成された前記告知情報と、前記事前決定情報生成手段により生成された前記事前決定情報とを送信する情報送信手段とを含む遊技制御手段と、
前記遊技制御手段とは別個に設けられ、前記遊技制御手段から送信された遊技の進行に関連した情報を受信する手段であって、
前記情報送信手段から送信された告知情報に基づいて、前記告知を行う告知手段と、
前記告知手段により前記告知が行われた旨を認識する告知認識手段と、
前記情報送信手段から送信された事前決定情報に基づいて前記事前決定手段によって前記特定の表示態様となることが許容された可能性がある旨を示す予告演出を演出手段に実行させる予告演出手段とを含む演出制御手段とを備え、
前記予告演出手段は、前記告知認識手段が前記告知が行われた旨を認識した後の所定の期間において、前記予告演出を中止させる予告演出中止手段を含む
ことを特徴とするスロットマシン。
【請求項２】
前記遊技制御手段は、前記事前決定手段の決定に基づいて、前記告知を行わせるか否かを決定する告知決定手段をさらに備え、
前記告知情報生成手段は、前記告知決定手段が前記告知を行わせる旨を決定したときに、該決定に基づいて前記演出制御手段に告知を行わせるための告知決定情報を、前記告知情報として生成し、
前記告知手段は、前記情報送信手段から送信された告知決定情報に従って、前記告知を行う
ことを特徴とする請求項１に記載のスロットマシン。
【請求項３】
前記事前決定情報生成手段は、前記告知情報生成手段を含み、前記事前決定情報を前記告知情報として生成し、
前記演出制御手段は、前記情報送信手段から送信された事前決定情報に基づいて自ら前記告知を行うか否かを決定する告知決定手段をさらに含み、
前記告知手段は、前記告知決定手段が前記告知を行う旨を決定したときに、前記告知を行う
ことを特徴とする請求項１に記載のスロットマシン。
【請求項４】
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記決定情報設定手段に設定されている決定情報に基づいて、前記事前決定手段によって前記特定の表示態様となることが許容された旨を確定的に示す告知を行う告知手段と、
前記告知手段により前記告知が行われたときに、前記告知手段により告知が行われた旨を示す告知情報を、前記遊技の進行に関連した情報として前記演出制御手段に送信する告知情報送信手段と、
前記遊技の進行に関連した情報として１回で送信される情報であって、前記決定情報設定手段に設定されている決定情報のうちで少なくとも前記特定の表示態様に対応した決定情報の全てを示す事前決定情報を生成する事前決定情報生成手段と、
前記事前決定情報生成手段により生成された前記事前決定情報を送信する事前決定情報送信手段とを含む遊技制御手段と、
前記遊技制御手段とは別個に設けられ、前記遊技制御手段から送信された遊技の進行に関連した情報を受信する手段であって、
前記告知情報送信手段から送信された前記告知情報に基づいて、前記告知手段により前記告知が行われた旨を認識する告知認識手段と、
前記事前決定情報送信手段から送信された事前決定情報に基づいて前記事前決定手段によって前記特定の表示態様となることが許容された可能性がある旨を示す予告演出を演出手段に実行させる予告演出手段とを含む演出制御手段とを備え、
前記予告演出手段は、前記告知認識手段が前記告知が行われた旨を認識した後の所定の期間において、前記予告演出を中止させる予告演出中止手段を含む
ことを特徴とするスロットマシン。
【請求項５】
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記決定情報設定手段に設定されている決定情報に基づいて、前記事前決定手段によって前記特定の表示態様となることが許容された旨を確定的に示す告知を行わせるか否かを決定する告知決定手段と、
前記告知決定手段の決定に基づいて前記告知が行われた旨を認識する告知認識手段と、
前記事前決定手段の決定結果に基づいて前記事前決定手段によって前記特定の表示態様となることが許容された可能性がある旨を示す予告演出を実行させるか否かを決定する予告演出決定手段と、
前記予告演出手段により前記予告演出を実行させる旨が決定されたときに、前記予告演出手段に予告演出を行わせるための予告演出情報を、前記遊技の進行に関連した情報として前記演出制御手段に送信する予告演出情報送信手段とを含む遊技制御手段と、
前記遊技制御手段とは別個に設けられ、前記遊技制御手段から送信された遊技の進行に関連した情報を受信する手段であって、
前記予告演出情報送信手段から送信された予告演出情報を受信したときに、該予告演出情報に基づいて、前記予告演出を演出手段に実行させる予告演出手段を含む演出制御手段とを備え、
前記予告演出情報送信手段は、前記告知認識手段が前記告知が行われた旨を認識した後の所定の期間において、前記予告演出情報の前記演出制御手段への送信を中止する予告演出情報送信中止手段を含む
ことを特徴とするスロットマシン。
【請求項６】
前記遊技制御手段から前記演出制御手段には、一方向で情報が送られる
ことを特徴とする請求項１乃至５のいずれか１項に記載のスロットマシン。
【請求項７】
前記所定の期間は、遊技状態が前記特別遊技状態に移行されるまでの期間である
ことを特徴とする請求項１乃至６のいずれか１項に記載のスロットマシン。
【手続補正２】
【補正対象書類名】明細書
【補正対象項目名】０００８
【補正方法】変更
【補正の内容】
【０００８】
【課題を解決するための手段】
上記目的を達成するため、本発明の第１の観点にかかるスロットマシンは、
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記遊技の進行に関連した情報として、前記事前決定手段によって前記特定の表示態様となることが許容された旨を確定的に示す告知を行うのに必要な告知情報を生成する告知情報生成手段と、
前記遊技の進行に関連した情報として１回で送信される情報であって、前記決定情報設定手段に設定されている決定情報のうちで少なくとも前記特定の表示態様に対応した決定情報の全てを示す事前決定情報を生成する事前決定情報生成手段と、
前記告知情報生成手段により生成された前記告知情報と、前記事前決定情報生成手段により生成された前記事前決定情報とを送信する情報送信手段とを含む遊技制御手段と、
前記遊技制御手段とは別個に設けられ、前記遊技制御手段から送信された遊技の進行に関連した情報を受信する手段であって、
前記情報送信手段から送信された告知情報に基づいて、前記告知を行う告知手段と、
前記告知手段により前記告知が行われた旨を認識する告知認識手段と、
前記情報送信手段から送信された事前決定情報に基づいて前記事前決定手段によって前記特定の表示態様となることが許容された可能性がある旨を示す予告演出を演出手段に実行させる予告演出手段とを含む演出制御手段とを備え、
前記予告演出手段は、前記告知認識手段が前記告知が行われた旨を認識した後の所定の期間において、前記予告演出を中止させる予告演出中止手段を含む
ことを特徴とする。
【手続補正３】
【補正対象書類名】明細書
【補正対象項目名】０００９
【補正方法】変更
【補正の内容】
【０００９】
上記第１の観点にかかるスロットマシンでは、予告演出手段は、告知が行われた旨が認識された後の所定期間、予告演出を中止させるようにしている。つまり、特別遊技状態に移行させる特定の表示態様となることが許容された旨を確定的に示した後には不要となる予告演出が行われないものとしている。このため、不要な演出によって遊技者に不快感を感じさせたり、遊技の円滑な進行を妨げたりすることがない。また、不要な予告演出を実行しなくてもよくなることから、演出制御手段にかかる負荷も小さくすることができる。また、予告演出手段が独自に予告演出を実行できるようにすることによって、遊技制御手段にかかる負荷を抑えつつ、多彩な態様で予告演出を行うことができるようになる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
上記第１の観点にかかるスロットマシンにおいて、
前記遊技制御手段は、前記事前決定手段の決定に基づいて、前記告知を行わせるか否かを決定する告知決定手段をさらに備えていてもよい。この場合において、
前記告知情報生成手段は、前記告知決定手段が前記告知を行わせる旨を決定したときに、該決定に基づいて前記演出制御手段に告知を行わせるための告知決定情報を、前記告知情報として生成し、
前記告知手段は、前記情報送信手段から送信された告知決定情報に従って、前記告知を行うものとすることができる。
【手続補正６】
【補正対象書類名】明細書
【補正対象項目名】００１２
【補正方法】変更
【補正の内容】
【００１２】
上記第１の観点にかかるスロットマシンにおいて、
前記事前決定情報生成手段は、前記告知情報生成手段を含み、前記事前決定情報を前記告知情報として生成してもよい。この場合において、
前記演出制御手段は、前記情報送信手段から送信された事前決定情報に基づいて自ら前記告知を行うか否かを決定する告知決定手段をさらに含み、
前記告知手段は、前記告知決定手段が前記告知を行う旨を決定したときに、前記告知を行うものとすることができる。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
上記目的を達成するため、本発明の第２の観点にかかるスロットマシンは、
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記決定情報設定手段に設定されている決定情報に基づいて、前記事前決定手段によって前記特定の表示態様となることが許容された旨を確定的に示す告知を行う告知手段と、
前記告知手段により前記告知が行われたときに、前記告知手段により告知が行われた旨を示す告知情報を、前記遊技の進行に関連した情報として前記演出制御手段に送信する告知情報送信手段と、
前記遊技の進行に関連した情報として１回で送信される情報であって、前記決定情報設定手段に設定されている決定情報のうちで少なくとも前記特定の表示態様に対応した決定情報の全てを示す事前決定情報を生成する事前決定情報生成手段と、
前記事前決定情報生成手段により生成された前記事前決定情報を送信する事前決定情報送信手段とを含む遊技制御手段と、
前記遊技制御手段とは別個に設けられ、前記遊技制御手段から送信された遊技の進行に関連した情報を受信する手段であって、
前記告知情報送信手段から送信された前記告知情報に基づいて、前記告知手段により前記告知が行われた旨を認識する告知認識手段と、
前記事前決定情報送信手段から送信された事前決定情報に基づいて前記事前決定手段によって前記特定の表示態様となることが許容された可能性がある旨を示す予告演出を演出手段に実行させる予告演出手段とを含む演出制御手段とを備え、
前記予告演出手段は、前記告知認識手段が前記告知が行われた旨を認識した後の所定の期間において、前記予告演出を中止させる予告演出中止手段を含む
ことを特徴とする。
【手続補正１２】
【補正対象書類名】明細書
【補正対象項目名】００１８
【補正方法】変更
【補正の内容】
【００１８】
上記目的を達成するため、本発明の第３の観点にかかるスロットマシンは、
１ゲームに対して賭け数を設定することによりゲームを開始させることが可能となり、可変表示装置の表示結果が導出表示されることにより１ゲームが終了し、該可変表示装置の表示結果が予め定められた特定の表示態様となることによって、遊技状態を特別遊技状態に移行させるスロットマシンにおいて、
遊技の進行を制御するとともに、遊技の進行に関連した情報を送信する手段であって、
前記特定の表示態様を含む複数種類の入賞態様について、前記可変表示装置の表示結果として導出することを許容するか否かを事前に決定し、入賞の発生が許容された入賞態様の種類に対応した決定情報を決定情報設定手段に設定する事前決定手段と、
前記決定情報設定手段に設定されている決定情報に基づいて、前記事前決定手段によって前記特定の表示態様となることが許容された旨を確定的に示す告知を行わせるか否かを決定する告知決定手段と、
前記告知決定手段の決定に基づいて前記告知が行われた旨を認識する告知認識手段と、
前記事前決定手段の決定結果に基づいて前記事前決定手段によって前記特定の表示態様となることが許容された可能性がある旨を示す予告演出を実行させるか否かを決定する予告演出決定手段と、
前記予告演出手段により前記予告演出を実行させる旨が決定されたときに、前記予告演出手段に予告演出を行わせるための予告演出情報を、前記遊技の進行に関連した情報として前記演出制御手段に送信する予告演出情報送信手段とを含む遊技制御手段と、
前記遊技制御手段とは別個に設けられ、前記遊技制御手段から送信された遊技の進行に関連した情報を受信する手段であって、
前記予告演出情報送信手段から送信された予告演出情報を受信したときに、該予告演出情報に基づいて、前記予告演出を演出手段に実行させる予告演出手段を含む演出制御手段とを備え、
前記予告演出情報送信手段は、前記告知認識手段が前記告知が行われた旨を認識した後の所定の期間において、前記予告演出情報の前記演出制御手段への送信を中止する予告演出情報送信中止手段を含む
ことを特徴とする。
【手続補正１３】
【補正対象書類名】明細書
【補正対象項目名】００１９
【補正方法】変更
【補正の内容】
【００１９】
上記第３の観点にかかるスロットマシンでは、予告演出情報を送信しないという簡単な制御で、無意味な予告演出を実行しないようにすることができると共に、遊技制御手段の負荷を小さくすることができる。また、前記演出制御手段は、告知を行った後の所定期間、予告演出情報の送信の中止により予告演出を実行させないようにしているため、不要な演出によって遊技者に不快感を感じさせたり、遊技の円滑な進行を妨げたりすることがない。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
上記第１〜第３の観点にかかるスロットマシンにおいて、
前記遊技制御手段から前記演出制御手段には、一方向で情報が送られるものとすることができる。
【手続補正２２】
【補正対象書類名】明細書
【補正対象項目名】００２９
【補正方法】変更
【補正の内容】
【００２９】
上記第１〜第３の観点にかかるスロットマシンにおいて、
前記所定の期間は、遊技状態が前記特別遊技状態に移行されるまでの期間とすることができる。また、前記遊技状態移行手段によって移行された特別遊技状態が終了するまでの期間とすることもできる。
【手続補正２３】
【補正対象書類名】明細書
【補正対象項目名】０１９３
【補正方法】変更
【補正の内容】
【０１９３】
【発明の効果】
請求項１の発明によれば、告知が行われた後の無意味な予告演出が行われないので、遊技者に不快感を感じさせたり、遊技の円滑な進行を妨げることがない。また、演出制御手段にかかる負荷を小さくすることができる。また、演出制御手段が独自に予告演出を実行できるので、遊技制御手段にかかる負荷を抑えつつ、多彩な態様で予告演出を行うことができる。
【手続補正２４】
【補正対象書類名】明細書
【補正対象項目名】０１９４
【補正方法】削除
【補正の内容】
【手続補正２５】
【補正対象書類名】明細書
【補正対象項目名】０１９５
【補正方法】変更
【補正の内容】
【０１９５】
請求項２の発明によれば、遊技の進行に特に重要な告知を行うかどうかを、遊技の進行を制御する遊技制御手段が決定することができる。
【手続補正２６】
【補正対象書類名】明細書
【補正対象項目名】０１９６
【補正方法】変更
【補正の内容】
【０１９６】
請求項３の発明によれば、演出制御手段は、事前決定手段の決定結果の少なくとも一部を知って、独自に告知を行うことができるので、遊技制御手段にかかる負荷を抑えることができる。
【手続補正２７】
【補正対象書類名】明細書
【補正対象項目名】０１９７
【補正方法】削除
【補正の内容】
【手続補正２８】
【補正対象書類名】明細書
【補正対象項目名】０１９８
【補正方法】削除
【補正の内容】
【手続補正２９】
【補正対象書類名】明細書
【補正対象項目名】０１９９
【補正方法】変更
【補正の内容】
【０１９９】
請求項５の発明によれば、告知が行われた後の無意味な予告演出が行われないので、遊技者に不快感を感じさせたり、遊技の円滑な進行を妨げることがない。また、告知が行われた後には、予告演出情報を送信しないでよいので、遊技制御手段にかかる負荷を小さくすることができる。
【手続補正３０】
【補正対象書類名】明細書
【補正対象項目名】０２００
【補正方法】削除
【補正の内容】
【手続補正３１】
【補正対象書類名】明細書
【補正対象項目名】０２０１
【補正方法】削除
【補正の内容】
【手続補正３２】
【補正対象書類名】明細書
【補正対象項目名】０２０２
【補正方法】削除
【補正の内容】
【手続補正３３】
【補正対象書類名】明細書
【補正対象項目名】０２０３
【補正方法】削除
【補正の内容】
【手続補正３４】
【補正対象書類名】明細書
【補正対象項目名】０２０４
【補正方法】変更
【補正の内容】
【０２０４】
請求項６の発明によれば、遊技制御手段が受信処理を行うことはないので、遊技制御手段にかかる負荷を小さくすることができると共に、その回路構成を簡単にすることができる。また、不正の防止を図ることができる。
【手続補正３５】
【補正対象書類名】明細書
【補正対象項目名】０２０５
【補正方法】変更
【補正の内容】
【０２０５】
請求項７の発明によれば、予告演出を行わせないものとする所定の期間を、告知ランプの点灯期間に合わせることができる。